(57)【要約】      （修正有）【課題】信頼性があがり、故障の少ない安全な自動演奏オルゴールの弾弁装置を提供すると共に、演奏装置の小型化を図る。【解決手段】サンホイールを上下に駆動できるようサンホイールの軸受けブラケット部に長孔を設け、サンホイールの軸芯２４はスターホイール２５の軸芯に対しｅだけ偏芯し、サンホイールの両端軸が上下に可動する。また、進退駆動するソレノイドを３列以上に水平に配列する。【選択図】図１２
2017116902.tif 000002
【特許請求の範囲】
【請求項１】
スターホイールを使ってオルゴールの弁を弾くオルゴールムーブメントに於いて、サンホイールの軸芯はスターホイールの軸芯に対しｅだけ偏芯し、サンホイールの両端軸が上下に可動出来ることを特徴とするオルゴールの自動演奏装置
【請求項２】
本発明の小型化に関し、スターホイールを使った自動演奏オルゴールのスターホイールの進退駆動に関し、進退駆動をするソレノイドを３列以上に水平に配列することを特徴とする自動演奏オルゴール。
【発明の詳細な説明】
【技術分野】
【０００１】本発明は、自動演奏オルゴールに関する。
【背景技術】
【０００２】従来のオルゴールの自動演奏できる装置はあった。
（例えば、特許文献１参照）
【先行技術文献】
【０００３】
【特許文献１】特開２００１−２３６０６１  オルゴールの弾鍵装置
【０００４】
【発明の概要】
【０００５】
【発明が解決しようとする課題】
【０００６】  従来のオルゴールの弁を弾く装置は、特許文献１に記載されている第４図で、爪車６を歯車５で間欠送りをすることで、オルゴールの弁を弾いていた。
しかしながら、第４図で示す爪車がθ度回転すれば問題ないが、爪車が何らかの悪条件が重なって回転しない場合、爪車と歯車がお互いにかみ合ってしまい歯車が停止することがあった。
この現象を本特許の図で説明すると、図１５に於いて、サンホイール３２のプッシャー３３とスターホイール３４の爪３５が図のような状態になった時、矢印Ａでお互いに噛んで動かない状態になってしまい、装置全体が停止するという重大な事故になりかねないことがあった。
従って、スターホイール３４の爪３５とサンホイール３２のプッシャー３３はお互いに噛まないようサンスター３２を上部に逃がす駆動する方法が求められていた。
また従来の装置は、２０弁を使っていたが、半音の出る３３弁の自動演奏が望まれており、この装置の小型化も求められていた。
【課題を解決するための手段】
【０００７】  本発明は上記目的を達成するために、スターホイールを使ってオルゴールの弁を弾くオルゴールムーブメントに於いて、サンホイールの軸芯はスターホイールの軸芯に対しｅだけ偏芯し、サンホイールの両端軸が上下に可動出来ることを特徴とするオルゴールの自動演奏装置【０００８】  本発明の小型化に関し、スターホイールを使った自動演奏オルゴールのスターホイールの進退駆動に関し、進退駆動をするソレノイドを３列以上に水平面に配列することを特徴とする自動演奏オルゴール。
【発明の効果】
【０００９】  上述したように本発明のオルゴールの弾弁装置、自動演奏装置の信頼性があがり、故障の少ない安全な装置を提供することができるとともに演奏装置の小型化が図れる。
【図面の簡単な説明】
【００１０】
【図１】本発明を搭載したオルゴールの上面図
【図２】同上側面図
【図３】図１の右側面図でサンホイール５の取り付け状態図
【図４】サンホイール５の側面図
【図５】サンホイール５の正面構造図
【図６】サンホイール５の軸受け取りつけ用長孔
【図７】オルゴールムーブメント２に取り付けられたサンホイール５の取り付け図
【図８】図７の下方より見た側面図
【図９】サンホイール５とスターホイール４の弾く動作をしていない状態時の図
【図１０】ストッパー８が後方に動作した時の状態図
【図１１】爪７とプッシャー９の噛む量ｄを表す図
【図１２】サンホイールが咬んで上方に逃げた状態図
【図１３】噛んだ爪がストッパーに当たった状態図
【図１４】実施例２の側面図
【図１５】スターホイールとサンホイールの咬んで動かない状態図
【発明を実施するための形態】
【００１１】
【実施例１】
【００１２】  以下本発明請求項１の、ムーブメントの実施内容について説明するにあたって、メカニズムは、は特許文献特開２００１−２３６０６１で使用されている基本のムーブメントを使用し弁の数が、３３弁のものを使用する。
したがって、スターホイールのモーターによる駆動構造、スターホイールのパワーアンドフリー（自重による回転力）の説明は省く。【００１３】  本発明の実施の形態を図１、２、に基づいて説明すると、図１は本発明を搭載した自動オルゴールの上面図で外フレーム１にオルゴールムーブメント２が取り付けられている。３は微小の進退をするソレノイドでオルゴールの弁６を弾くスターホイール４の爪７のストッパー８がワイヤーで接続されている。【００１４】  スターホイール４とサンホイール５は歯車で互いに反対方向に回転しストッパー８の進退で、スターホイール４の爪７をサンホイール５のプッシャー９で９０度間欠送りされるよう制御されている。
１０はサンホイール５の回転を検知する孔付きディスク、１１はディスクの孔を検出するフォトセンサー。
図３は図１の右側面図でサンホイール５の取り付け状態を表しており、左右の孔付きブラケットで上下に可動可能である。
図４はサンホイール５の側面図で、９はプッシャーで６枚用意されている。
図５は、サンホイール５の詳細図で、６角棒１７にネジ１８で止められている。
図６は、ブラケット、１２、１３に加工されて長孔２３で、軸受け１４が上下に可動出来るような構造になっている。
図７，８はムーブメント２の拡大図でサンホイール５の上下に稼動する構造図で、軸受け１４はトーションスプリング２０の一端で上から圧力をかけられている。
トーションスプリング２０の中心はネジ２１で他端は、ネジ２２で保持されている。
したがって、爪７とプッシャー９が噛んでプッシャー９に上方に力がかかったときには、プッシャー９は上に逃げることが出来る。これについて詳細を説明すると【００１５】  図９から図１３まで一連の動作を追っていくと
図９はサンホイール５とスターホイール４が弾く動作をしていない状態の時の図でプッシャー９は爪７に当たらずに空転している。
図１０では、ストッパー８が後方に動作した時爪７はストッパーから解除され、プッシャー９よりも爪７が先に進みこの後爪７は、回転しているプッシャー９に押されて弁６を弾く。
図１１で爪７とプッシャー９の噛む量ｄを表す。
図１２は爪７とプッシャー９が何らかの悪条件が重なって咬んだ状態でプッシャー９がｄだけ上方にサンホイール５ごと上がった状態を示す。
サンホイール５が上方に逃げやすくするために、サンホイール５の軸芯２４はスターホイール４の軸芯２５に対しｅだけ右方向に偏芯している。
図１３では噛んだ爪７がストッパーに当たった状態とプッシャー９が回転して逃げた状態を示す。
図１４のように長孔の加工をせずにサンホイール３０を保持するブラケットに回転軸２９を設けサンホイール全体を回転軸２９を中心にｄの距離を逃げるようにすることも出来る。
このように噛むという緊急事態にサンホイールが上方に逃げるため、本発明のオルゴールの弾弁装置、自動演奏装置の信頼性があがり、故障の少ない安全な装置を提供することができる。
【実施例２】
【００１６】  次に図２で爪７を制御するストッパー８について説明すると、ストッパー８は、樹脂で構成され簡単に垂直の孔４３（図１に示す）をあけられ、弁の数３３本用意されている。
ソレノイド３の鉄心３８の先端には、円筒のアダプター３９が固着されておりアダプター３９に垂直に圧入されたシャフト４０にストッパー８の後端に垂直孔４３をシャフト３３と回転自在にはめ合わせてある。
図２では鉄心３８がスプリング４１で引っ張られて、アダプター３９の先端がストッパー４２で停止できるようになっている。
このようにソレノイド３の本体フレーム上面よりも鉄心アダプター３９の上面がｈ（図２に示す）だけ高くなるようにしてストッパー８を、シャフト４０に配設する。これによりストッパー８は前列、中列、後列の各ソレノイドの中心から絡まることなく平行に３３本スターホイール４の中心に向かってホルダー１６に通すことが出来る。
これによりソレノイド３を水平面上に１１個ずつ３列にとめることが出来作業性の向上が図れる。
【符号の説明】
【００１７】１５は軸
１６はストッパー８のガイド
２６はネジ
２７はトーションスプリング
２８はネジ
３１はストッパー
３６は弁
３７はモーター
【図１】
2017116902.tif 000003
【図２】
2017116902.tif 000004
【図３】
2017116902.tif 000005
【図４】
2017116902.tif 000006
【図５】
2017116902.tif 000007
【図６】
2017116902.tif 000008
【図７】
2017116902.tif 000009
【図８】
2017116902.tif 000010
【図９】
2017116902.tif 000011
【図１０】
2017116902.tif 000012
【図１１】
2017116902.tif 000013
【図１２】
2017116902.tif 000014
【図１３】
2017116902.tif 000015
【図１４】
2017116902.tif 000016
【図１５】
2017116902.tif 000017